(57)【特許請求の範囲】
【請求項１】
折畳式の遮光シートの角部に補強シートを設けてなる車両用折畳式日除け装置において、
前記補強シートは折り目を有し、
前記折り目を境界とする前記補強シートの一方の領域は前記遮光シートに貼着され、
前記折り目を境界とする前記補強シートの他方の領域は前記遮光シートには貼着されず、
前記補強シートは前記遮光シートの２つの角部に設けられており、非完全展開時の前記遮光シートにおいて前記補強シートの前記他方の領域同士を離隔させると、前記一方の領域同士も離隔し、前記遮光シートの展開が促進され、
少なくとも１つの前記補強シートの前記他方の領域には環状弾性体が取り付けられ、
前記環状弾性体の前記他方の領域への取り付け位置は、前記折り目で前記補強シートを折り曲げた場合には、前記取り付け位置が折畳完了時の前記遮光シートの重心位置に近づくように設定され、
前記環状弾性体の長さは、折畳完了時の前記遮光シートを囲むことができるように設定されていることを特徴とする車両用折畳式日除け装置。
【請求項２】
前記遮光シート及び前記補強シートは双方とも紙材からなることを特徴とする請求項１に記載の車両用折畳式日除け装置。
【請求項３】
前記遮光シートの表面にアルミニウム含有層を有することを特徴とする請求項１又は２に記載の車両用折畳式日除け装置。
【請求項４】
前記アルミニウム含有層の上に広告内容を表示する印刷を施したことを特徴とする請求項３に記載の車両用折畳式日除け装置。
【発明の詳細な説明】
【０００１】
【発明の属する技術分野】
本発明は車両用折畳式日除け装置に関する。
【０００２】
【従来の技術】
従来の車両用折畳式日除け装置は、実開平５−９１９３１号公報（実願平４−４４６９５号）に記載されている。この車両用折畳式日除け装置は、縦方向及び横方向に折り目を有する長方形シートの一端にサンバイザへの取り付け用クリップを設けてなる。
【０００３】
【発明が解決しようとする課題】
しかしながら、このような車両用折畳式日除け装置は展開が不便であり、使用者の利便性が低かった。本発明は、このような課題に鑑みてなされたものであり、使用者の利便性を向上可能な車両用折畳式日除け装置を提供することを目的とする。
【０００４】
【課題を解決するための手段】
上述の課題を解決するため、本発明に係る車両用折畳式日除け装置は、折畳式の遮光シートの角部に補強シートを設けてなる車両用折畳式日除け装置において、前記補強シートは折り目を有し、前記折り目を境界とする前記補強シートの一方の領域は前記遮光シートに貼着され、前記折り目を境界とする前記補強シートの他方の領域は前記遮光シートには貼着されず、前記補強シートは前記遮光シートの２つの角部に設けられており、非完全展開時の前記遮光シートにおいて前記補強シートの前記他方の領域同士を離隔させると、前記一方の領域同士も離隔し、前記遮光シートの展開が促進され、少なくとも１つの前記補強シートの前記他方の領域には環状弾性体が取り付けられ、前記環状弾性体の前記他方の領域への取り付け位置は、前記折り目で前記補強シートを折り曲げた場合には、前記取り付け位置が折畳完了時の前記遮光シートの重心位置に近づくように設定され、前記環状弾性体の長さは、折畳完了時の前記遮光シートを囲むことができるように設定されていることを特徴とする。
【０００５】
このように、折り目を有する補強シートと環状弾性体を用いることにより、展開の容易性と、遮光シートの補強機能、更には、折畳完了時の拘束機能を同時に持たせることができる。
【０００６】
折り目加工及び重量の観点から、前記遮光シート及び前記補強シートは双方とも紙材からなることが好ましいが、遮光の観点から遮光シートの表面にアルミニウム含有層を有することが好ましい。このアルミニウム含有層の上に広告内容を表示する印刷を施すと、遮光シートに広告機能を持たせることができる。
【０００７】
【発明の実施の形態】
以下、本発明の実施の形態に係る車両用折畳式日除け装置ついて説明する。なお、同一要素には同一符号を用い、重複する説明は省略する。
【０００８】
図１は展開した状態の車両用折畳式日除け装置の平面図である。車両用折畳式日除け装置は、縦方向及び横方向に沿って折り畳める遮光シート１０を備えている。遮光シート１０には、折り目２１，２２を有する２つの補強シート１，２が貼着されている。補強シート１，２のそれぞれの折り目２１，２２を境界とするそれぞれの補強シート１，２の一方の領域をＲ２１，Ｒ２２とし、他方の領域をｒ２１，ｒ２２とする。
【０００９】
それぞれの補強シート１，２の一方の領域Ｒ２１，Ｒ２２は、遮光シート１０の縦方向の一端部に位置する領域の横方向両端部にそれぞれ貼着されている。それぞれの補強シート１，２の他方の領域ｒ２１，ｒ２２は、遮光シート１０には貼着しない。それぞれの補強シート１，２の他方の領域ｒ２１，ｒ２２には環状弾性体Ｇ１，Ｇ２が設けられている。
【００１０】
本車両用折畳式日除け装置は、遮光シート１０の縦方向の一端部（上部）に位置する領域の略中央部に別の補強シート３を貼着し、この補強シート３にも環状弾性体Ｇ３を設けてなる。
【００１１】
図２は展開した状態の車両用折畳式日除け装置の正面図である。遮光シート１０は、縦方向に沿った複数の折り目（山折線Ｍ、谷折線Ｖ）を有しているので、矢印Ａの方向（横方向）に沿って、屏風折にすることができる。
【００１２】
図３は折り畳む途中の車両用折畳式日除け装置の斜視図である。同図は横方向に沿って既に折り畳まれた場合の車両用折畳式日除け装置を示す。遮光シート１０は、横方向に沿った複数の折り目（山折線ｍ、谷折線ｖ）を有しているので、矢印の方向（縦方向）に沿って、屏風折にすることができる。
【００１３】
図４は完全に折り畳まれた状態の車両用折畳式日除け装置の斜視図である。端部に設けられた環状弾性体Ｇ１，Ｇ２は、それぞれ折り畳まれた遮光シート１０を横巻き及び縦巻きにすることができ、その弾性力によって、遮光シート１０の展開を抑制することができる。
【００１４】
図５は遮光シート１０の横方向端部の構成を示す斜視図である。本例では左端を示す。補強シート１は横方向に対して斜めに延びた折り目（谷折線）２１を有している。上記一方の領域Ｒ２１には接着剤３０を塗布し、他方の領域ｒ２１には塗布しない。この補強シート１を遮光シート１０に接着剤３０を介して貼着した場合には、上記他方の領域ｒ２１が貼着されず、中に浮くことになる。
【００１５】
他方の領域ｒ２１にはパンチ孔Ｈが設けられており、このパンチ孔Ｈを通るように、環状弾性体Ｇ１が補強シート１に結び付けられている。補強シート１は、遮光シート１０を把持し易くすると共に、環状弾性体Ｇ１の取り付け部材としても機能している。補強シート１には、遮光シート１０に貼り付けられていない領域ｒ２１があるので、これに設けられた環状弾性体Ｇ１の移動領域が大きくなるため、取り扱いが容易となり、また、接着面に加わる力が分散されるので、紙材からなる場合の耐久性を向上させることができる。なお、遮光シート１０の右端の構成は左端と同一であるので、説明を省略する。
【００１６】
図６は車両用折畳式日除け装置の車両への装着例を示す図である。図４に示した車両用折畳式日除け装置における環状弾性体Ｇ３は、折り畳まれた遮光シート１０から延びており、いずれかのクリップ等に引っ掛けることができるが、このクリップ等から環状弾性体Ｇ３を取り外し、更に、環状弾性体Ｇ１，Ｇ２を解き、遮光シート１０の補強シート１，２のみを両手でそれぞれ把持すると、重力にしたがって、遮光シート１０が縦方向に沿って展開していき、この状態で両手を広げると、すなわち、補強シート１，２の他方の領域ｒ２１、ｒ２２同士を離隔させると一方の領域Ｒ２１，Ｒ２２同士も離隔し、このように補強シート１，２が横方向に沿って離隔することで、遮光シート１０が横方向に沿ってスムーズに展開し、横方向両端部に環状弾性体Ｇ１，Ｇ２が位置し、略中央部に環状弾性体Ｇ３が位置することとなる。
【００１７】
使用の一例としては、展開した車両用折畳式日除け装置の環状弾性体Ｇ１，Ｇ２を車両のサンバイザ−Ｓ１，Ｓ２に引っ掛け、環状弾性体Ｇ３をバックミラーＢに引っ掛ける。小型の地図等に比較して、車両用折畳式日除け装置は大型であるので、比較的薄い紙材を用いて遮光シート１０が作製された場合には、展開の際に遮光シート１０の中央部が垂れ下がる傾向があるが、中央部の環状弾性体Ｇ３が設けられる補強シート３は、この垂れ下がり傾向を抑制し、スムーズな展開を促進させる。
【００１８】
シートを容易に展開する折り方として、「ミウラ折」（実公昭５４−１２６７５２号公報）が知られているが、車両用折畳式日除け装置においては、上記補強シートを用いれば、直交する複数の折り目からなる折り方のほうが、スムーズに展開が行われる。
【００１９】
なお、この車両用折畳式日除け装置においては、遮光シート１０を折り畳んだ場合の縦横比は、遮光シート１０を展開した場合の縦横比と比較して逆転しており、横方向に本来は長いはずの遮光シート１０がよりコンパクトに折り畳まれている。
【００２０】
また、遮光シート１０の横方向両端部に位置する縦方向に沿った折り目Ｍ，Ｍは、双方とも山又は谷折であるので、両手で把持しながらスムーズに展開することができ、且つ、展開された遮光シート１０が安定する。
【００２１】
図１に示した折り方を有する車両用折畳式日除け装置の遮光シート１０は、遮光シート１０の縦方向に沿った両端部間を横断する複数の直線状第1型縦方向折り目群（Ｍ）、及び第1型縦方向折り目群（Ｍ）の折り目Ｍの間に位置し第1型縦方向折り目群（Ｍ）とは逆方向に折れ曲がるよう遮光シート１０の縦方向に沿った両端部間を横断する複数の直線状第2型縦方向折り目群（Ｖ）とを有する縦方向折り目群（Ｍ，Ｖ）と、第1型縦方向折り目群の折り目Ｍと第2型縦方向折り目群の折り目Ｖとの間の領域を、横方向に沿ってそれぞれが交互に且つ逆方向に折れ曲がって横断するように一直線上に整列した第1型横方向折り目群（ｍ）及び第2型横方向折り目群（ｖ）が、縦方向に隣接する折れ曲がりの方向が逆となるように縦方向に沿って複数配列してなる横方向折り目群（ｖ、ｍ）とを備えている。
【００２２】
また、この車両用折畳式日除け装置は、遮光シート１０の縦方向の一端部に位置する領域の横方向両端部にそれぞれ貼着された２つの補強シート１，２とを備えている。本車両用折畳式日除け装置においては、補強シート１，２を把持しながら両手を広げることで、遮光シート１０がスムーズに展開する。
【００２３】
また、拘束手段としての環状弾性体Ｇ１，Ｇ２は、補強シート１，２に設けられており遮光シート１０を折り畳んだ場合には、その展開が抑制されるように折り畳まれた遮光シート１０を拘束している。
【００２４】
また、環状弾性体Ｇ１，Ｇ２は、車両のサンバイザーＳ１、Ｓ２に引っ掛けることができる形状及び／又は材質に設定されている。すなわち、環状弾性体Ｇ１，Ｇ２は、ゴムひも、輪ゴムからなり、或いは収納時には拘束機能を展開時には引っ掛り機能を有するクリップとしてもよい。なお、使用者は、環状弾性体Ｇ１，Ｇ２をサンバイザ−Ｓ１，Ｓ２やバックミラーＢに引っ掛けなくてもよい。
【００２５】
なお、環状弾性体Ｇ３もゴム又は輪ゴムからなるが、これに代えて展開時には引っ掛り機能を有するクリップを設けてもよい。また、遮光シート１０及び補強シート１，２，３は、全て紙材からなるので、本車両用折畳式日除け装置は、非常に軽く、また、軽いが故に展開しにくくもなるが、これは上述の補強シート１、２，３や折り方によって補うことができ、使用者の利便性を向上することができる。
【００２６】
以上、説明したように、上述の車両用折畳式日除け装置は、折畳式の遮光シートの角部に補強シート１，２を設けてなる車両用折畳式日除け装置において、補強シート１，２は折り目２１，２２を有し、折り目２１，２２を境界とする補強シートの一方の領域Ｒ２１、Ｒ２２は遮光シート１０に貼着され、折り目２１，２２を境界とする補強シート１，２の他方の領域ｒ２１，ｒ２２は遮光シート１０には貼着されず、補強シート１，２は遮光シート１０の２つの角部に設けられており、非完全展開時（図３の状態）の遮光シート１０において補強シート１，２の他方の領域ｒ２１，ｒ２２同士を離隔させると、一方の領域Ｒ２１，Ｒ２２同士も離隔し、遮光シート１，２の展開が促進され、少なくとも１つの補強シート１（２）の他方の領域ｒ２１（ｒ２２）には環状弾性体Ｇ１（Ｇ２）が取り付けられ、環状弾性体Ｇ１の他方の領域ｒ２１への取り付け位置は、折り目２１で補強シート１０を折り曲げた場合には、前記取り付け位置が折畳完了時の前記遮光シートの重心位置に近づくように設定され、前記環状弾性体の長さは、折畳完了時の前記遮光シートを囲むことができるように設定されている。
【００２７】
もちろん、図４のように、環状弾性体Ｇ１を折畳完了時の補強シート１０に巻きつけることもできるが、図５のように、折り目２１で補強シート１を折り畳めば、取り付け位置（パンチ孔Ｈ）は中央側へ寄ってくるため、折畳完了時の拘束機能が強化される。
【００２８】
このように、折り目２１，２２を有する補強シート１，２と環状弾性体Ｇ１，Ｇ２を用いることにより、展開の容易性と、遮光シート１０の補強機能、更には、折畳完了時の拘束機能を同時に持たせることができる。折り目加工及び重量の観点から、遮光シート１０及び補強シート１，２は双方とも紙材からなることが好ましいが、遮光の観点から遮光シートの表面にアルミニウム含有層を有することが好ましい。このアルミニウム含有層の上に広告内容を表示する印刷を施すと、遮光シートに広告機能を持たせることができる。
【００２９】
【発明の効果】
車両用折畳式日除け装置によれば、使用者の利便性を向上することができる。
【図面の簡単な説明】
【図１】展開した状態の車両用折畳式日除け装置の平面図である。
【図２】展開した状態の車両用折畳式日除け装置の正面図である。
【図３】折り畳む途中の車両用折畳式日除け装置の斜視図である。
【図４】完全に折り畳まれた状態の車両用折畳式日除け装置の斜視図である。
【図５】遮光シート１０の横方向端部の構成を示す斜視図である。
【図６】車両用折畳式日除け装置の車両への装着例を示す図である。
【符号の説明】
１，２…補強シート、３…補強シート、１０…遮光シート、３０…接着剤、２１，２２…折り目、Ｂ…バックミラー、Ｓ１，Ｓ２…サンバイザー、Ｇ１，Ｇ２…環状弾性体、Ｇ３…環状弾性体、Ｈ…パンチ孔、Ｍ…山折線、Ｖ…谷折線、Ｒ２１，Ｒ２２…一方の領域、ｒ２１，ｒ２２…他方の領域。
【図１】
0004057298.tif 000002
【図２】
0004057298.tif 000003
【図３】
0004057298.tif 000004
【図４】
0004057298.tif 000005
【図５】
0004057298.tif 000006
【図６】
0004057298.tif 000007